(57)【要約】【課題】  少ない回数のキーの操作によって、所定の条件で画像信号を受信し、その画像信号に対して所定の画像処理を行うことができる画像処理制御方法及び移動通信端末装置を提供する。【解決手段】  操作されたキーに対応する、受信する画像信号の条件、及び、その画像信号に対して行う画像処理の識別情報を検索し（ステップ１５ｏ）、検索された条件に従った画像信号を受信して、その画像信号に対して検索された画像処理を行う。即ち、その画像信号の編集を行い（ステップ１５ｑ）、また、その画像信号から文字認識する（ステップ１５ｒ）ことにより、所定のキー操作によって、所定の条件で受信した画像信号に対して所定の画像処理を行うことができる。【選択図】  図３
2005210246.tif 000002
【特許請求の範囲】
【請求項１】
画像入力手段から出力された画像信号を画像表示手段に表示し、
複数のキーを有する入力手段から入力された前記キーの識別情報を検索キーにして画像処理記憶手段から対応する画像処理機能を検索し、
前記画像入力手段から出力された画像信号に対して前記検索された前記画像処理機能を実行する
ことを特徴とする画像処理制御方法。
【請求項２】
前記入力手段から前記画像処理記憶手段の内容を確認する要求が行われた時、前記キーに対応する前記画像処理機能をアイコンにして前記画像表示手段に表示することを特徴とする請求項１に記載の画像処理制御方法。
【請求項３】
画像入力手段から出力された画像信号を画像表示手段に表示し、
複数のキーを有する入力手段から入力された前記キーの識別情報を検索キーにして画像処理記憶手段から対応する画像処理機能を検索し、
前記画像処理機能が文字認識機能である場合に、前記画像入力手段から出力された画像信号に対して文字認識を実行し、
前記認識された名前、電話番号、及び又は電子メールアドレスを電話番号記憶手段へ格納する
ことを特徴とする画像処理制御方法。
【請求項４】
画像入力手段から出力された画像信号を画像表示手段に表示し、
複数のキーを有する入力手段から入力された前記キーの識別情報を検索キーにして画像入力条件記憶手段から対応する画像入力条件を検索し、
前記検索された画像入力条件を満たす前記画像信号に対して画像処理を実行する
ことを特徴とする画像処理制御方法。
【請求項５】
画像入力手段と、
前記画像入力手段から出力された画像信号を表示する画像表示手段と、
番号を入力するための数字キーを含むキーからなる入力手段と、
前記キーの識別情報と画像処理機能とからなる情報を記憶する画像処理記憶手段と、
前記入力手段から入力された前記キーの識別情報を検索キーにして前記画像処理記憶手段から前記画像処理機能を検索し、前記画像入力手段から出力された画像信号に対して前記検索された画像処理機能を実行する画像処理制御手段と
を備えることを特徴とする移動通信端末装置。
【請求項６】
前記入力手段から前記画像処理記憶手段の内容を確認する要求が行われた時、前記画像処理制御手段は前記数字キーに対応する前記画像処理機能をアイコンにして前記画像表示手段に表示することを特徴とする請求項５に記載の移動通信端末装置。
【請求項７】
画像入力手段と、
前記画像入力手段から出力された画像信号を表示する画像表示手段と、
複数のキーからなる入力手段と、
前記キーの識別情報と画像入力条件とからなる情報を記憶する画像入力条件記憶手段と、
前記入力手段から入力された前記キーの識別情報を検索キーにして前記画像入力条件記憶手段から前記画像入力条件を検索し、その検索された前記画像入力条件を満たす前記画像信号に対して画像処理を実行する画像処理制御手段と
を備えることを特徴とする移動通信端末装置。
【発明の詳細な説明】
【技術分野】
【０００１】
本発明は、画像処理制御方法及び移動通信端末装置に係り、特に複数の種類の画像処理制御に関する。
【背景技術】
【０００２】
携帯電話などの移動通信端末装置において、その装置にカメラを内蔵し、そのカメラから出力された画像情報を記憶装置に格納する写真撮影処理が広く行われている。写真撮影には、フラッシュを使用するか否か、また、１枚の写真を撮影するか連写（所定時間間隔で連続して写真を撮影すること。）をするかなど、種々の撮影条件の設定操作が撮影前に必要である。
【０００３】
ここで、移動通信端末装置の入力装置には、通話相手の電話番号の入力に用いられる「１」〜「９」、及び、「０」の数字キーの他に１０個程度のキーが備えられているのみである。そのため、撮影条件の設定を行うキーや、撮影を指示するキー（以後、シャッターキーと称する。）を専用に用意することが困難であった。
【０００４】
そこで、所定のキーの操作によって、動作モードを通信モードから写真撮影モードに変更する移動通信端末装置では、通信モードと写真撮影モードとにおいて、同一のキーを異なる目的に用いる処理が知られている。そして、写真撮影モードにおいては、所定のキーがシャッターキーとなる（例えば、特許文献１参照。）。
【０００５】
ところで、カメラから出力された画像情報は、メールの添付ファイルとして送信したり、文字認識部によって文字画像を認識して、その認識した氏名と電話番号をアドレス帳に登録するなど、益々多用に使われている。そのため、出力された画像情報の使い方に応じて撮影条件を詳細に設定する操作が必要である。また、画像情報の受信に続いて、受信された画像情報の使い方に応じた操作が必要である。これらの操作も、上記の限られたキーの操作によって指示する必要がある。
【特許文献１】特開２００２−１４１９７８号公報（第２頁、図３）
【発明の開示】
【発明が解決しようとする課題】
【０００６】
上述した特許文献１に開示されている方法では、限られた数のキーを用いて写真を撮影することは容易に行うことができる。しかしながら、受信された画像情報の多用な使い方に応じて、撮影条件を設定し、かつ、受信された画像情報に対する操作を行うためには、多くの回数のキー操作が必要となり操作性が悪いと言う問題点があった。
【０００７】
本発明は、上記問題点を解決するためになされたもので、複数のキーをシャッターキーとし、その複数のキーの中の所定のキーの操作によって、所定の撮影条件を満たす画像情報を受信し、また、受信された画像情報を所定の使い方で使用することができる画像処理制御方法及び移動通信端末装置を提供することを目的とする。
【課題を解決するための手段】
【０００８】
上記目的を達成するために、本発明の画像処理制御方法は、画像入力手段から出力された画像信号を画像表示手段に表示し、複数のキーを有する入力手段から入力された前記キーの識別情報を検索キーにして画像処理記憶手段から対応する画像処理機能を検索し、前記画像入力手段から出力された画像信号に対して前記検索された前記画像処理機能を実行することを特徴とする。
【発明の効果】
【０００９】
本発明によれば、少ない回数のキー操作によって、所望の条件で画像情報を受信し、また、受信された画像情報を所望の目的で使用することができる。
【発明を実施するための最良の形態】
【００１０】
以下に、本発明による画像処理制御方法及び移動通信端末装置の実施の形態を、図面を参照して説明する。図１は、本発明の実施形態に係る移動通信端末装置を示すブロック図である。
【００１１】
この装置は、装置全体の制御を行う制御部１１と、基地局（図示せず）との間で電波の送受信を行うアンテナ１２ａと、通信部１２ｂと、送受信部１３と、スピーカ１４ａと、マイクロフォン１４ｂと、通話部１４ｃと、出力装置１５ａと、カメラ１５ｂと、画像処理部１５ｃと、入力装置１６と、撮影条件データ記憶部２１と、画像データ記憶部２２と、アドレス帳記憶部２３と、電子メール送信部２４とからなる。
【００１２】
撮影条件データ記憶部２１には撮影条件データファイル２１ａが記憶され、画像データ記憶部２２には画像データファイル２２ａが記憶され、アドレス帳記憶部２３にはアドレス帳ファイル２３ａが記憶される。
【００１３】
図２は、画像処理部１５ｃの構成を示すブロック図である。画像処理部１５ｃは、制御部１１及び撮影条件データ記憶部２１と接続され、画像処理部１５ｃの各部の制御を行う画像処理制御部１５ｄと、カメラ１５ｂと接続される画像入力部１５ｅと、出力装置１５ａ及び画像入力部１５ｅと接続される画像出力部１５ｆと、画像データ記憶部２２、アドレス帳記憶部２３、及び画像入力部１５ｅと接続される画像編集部１５ｇと、画像データ記憶部２２、アドレス帳記憶部２３、及び画像入力部１５ｅと接続される文字認識部１５ｈとからなる。
【００１４】
続いて、上記のように構成された、本発明の実施形態に係る移動通信端末装置の各部の動作について説明する。
【００１５】
まず、通信部１２ｂは、アンテナ１２ａが受信した高周波信号を送受信部１３へ出力し、また、送受信部１３から出力される高周波信号をアンテナ１２ａより送信する。
【００１６】
送受信部１３は、通信部１２ｂからの高周波信号を増幅、周波数変換及び復調し、それによって得られたデジタル音声信号を通話部１４ｃへ、また、制御信号を制御部１１に送る。更には、通話部１４ｃから出力されるデジタル音声信号、及び制御部１１から出力される制御信号を変調、周波数変換及び増幅し、高周波信号を得て、それを通信部１２ｂに送る。
【００１７】
次に、通話部１４ｃは、送受信部１３から出力されるデジタル音声信号をアナログ音声信号に変換し、それを増幅してスピーカ１４ａに送る。また、マイクロフォン１４ｂから出力されるアナログ音声信号を増幅し、それをデジタル音声信号に変換して送受信部１３に送信する。
【００１８】
出力装置１５ａは、例えばＬＣＤの表示装置であり、制御部１１、または、画像処理部１５ｃより起動されることにより、表示動作を開始する。入力装置１６からの入力操作に応答して制御部１１より起動されるまで、または、新たな画像の表示を行うために画像処理部１５ｃより起動されるまで、出力装置１５ａには同じ内容が表示される。
【００１９】
カメラ１５ｂは、例えばＣＣＤカメラであり、画像処理部１５ｃより起動されることにより画像入力動作を開始し、入力した画像の信号を画像処理部１５ｃに送る。
【００２０】
入力装置１６は、通信相手の電話番号を指定するための「１」〜「９」及び「０」の数字キーを含む複数のキーからなり、制御部１１の起動により動作を開始し、利用者が入力操作したキー入力に応じて、そのキーを識別する識別子を制御部１１へ通知して動作を終了する。
【００２１】
電子メール送信部２４は、宛先アドレスと、電子メール本文と、添付ファイルとから送信メールを作成し、この作成された送信メールは、制御部１１経由で送受信部１３に送られ、更に、通信部１２ｂ、アンテナ１２ａ、基地局を介してメールサーバ装置（図示せず）に送信される。
【００２２】
次に、画像処理部１５ｃの動作を図１及び図２を参照して説明する。画像処理部１５ｃは、カメラ１５ｂから出力された画像信号の処理を行う装置であり、画像処理部１５ｃの各部の制御を行う画像処理制御部１５ｄの動作の説明を中心に、画像処理部１５ｃの動作を説明する。図３は、この画像処理制御部１５ｄの動作を示すフローチャートである。
【００２３】
画像処理制御部１５ｄは、制御部１１から起動され動作を開始すると（ステップ１５ｊ）、画像入力部１５ｅを起動して（ステップ１５ｋ）、カメラ１５ｂから出力された画像信号の受信を開始する。そして、受信された画像信号は、画像出力部１５ｆと、画像編集部１５ｇと、文字認識部１５ｈとに送信される。
【００２４】
画像処理制御部１５ｄは、続いて、画像出力部１５ｆを起動する（ステップ１５ｍ）。画像出力部１５ｆは、画像入力部１５ｅから出力された画像信号を受信すると、この画像信号を出力装置１５ａに表示する。
【００２５】
画像処理制御部１５ｄは、続いて、利用者の操作に基づいて入力装置１６から出力されたキーの識別子を制御部１１を介して受信することによって、利用者のキー操作の有無を判断する（ステップ１５ｎ）。キーの識別子を受信せず、キー操作が無かったと判断された場合には（ステップ１５ｎの「無」）、ステップ１５ｋの画像入力の動作に戻って、処理を繰返す。
【００２６】
キーの識別子を制御部１１から受信してキー操作が有ったと判断された場合には（ステップ１５ｎの「有」）、画像処理制御部１５ｄは、受信したキーの識別子を検索キーとして、撮影条件データ記憶部２１に記憶された撮影条件データファイル２１ａを検索する。そして、その検索された撮影条件データファイル２１ａから撮影条件、即ち、画像処理部１５ｃが受信する画像信号の条件、及びその画像信号に対して画像処理部１５ｃが行う画像処理の識別情報を得る（ステップ１５ｏ）。
【００２７】
図４は、この撮影条件データファイル２１ａの一例を示す。即ち、撮影条件データファイル２１ａは、キー２１ｂと、撮影目的２１ｃと、フラッシュ２１ｄと、日付スタンプ２１ｅと、連写２１ｆと、合成２１ｇと、色調整２１ｈと、メール宛先２１ｉと、方向２１ｊとのデータの組からなる。なお、撮影条件データファイル２１ａには、この他のデータが含まれていても良い。
【００２８】
ここで、キー２１ｂには、キーの識別子が記憶される。そして、キー２１ｂを検索キーとして撮影条件データファイル２１ａに記憶されたデータの組を検索することが出来る。即ち、そのキー２１ｂに対応して画像処理部１５ｃが受信する画像信号の条件、及びその画像信号に対して画像処理部１５ｃが行う画像処理の識別情報が得られる。
【００２９】
まず、撮影目的２１ｃには、撮影目的の種類が記憶される。撮影目的の種類としては、「写真撮影」または「名刺読取」が記憶される。ここで、「写真撮影」とは、カメラ１５ｂによって撮影された写真の画像信号を、画像データ記憶部２２の画像データファイル２２ａに格納する処理である。また、「名刺読取」とは、カメラ１５ｂによって撮影された画像信号が名刺の画像信号であって、その画像信号に含まれる氏名や、電話番号などの文字を認識させて、その認識結果をアドレス帳記憶部２３のアドレス帳ファイル２３ａに格納する処理である。
【００３０】
フラッシュ２１ｄには、画像の受信の際に、移動通信端末装置に設けられる写真撮影用のフラッシュ（図示せず）の点灯を行うか否かの設定が記憶される。点灯を行うか否かの設定として、「点灯」または「消灯」が記憶される。ここで、「点灯」とは、カメラ１５ｂから出力された画像の輝度に関らず、フラッシュを点灯する処理であり、「消灯」は、上記輝度に関らず、フラッシュを点灯しない処理である。フラッシュ２１ｄに「点灯」と「消灯」のいずれの値も記憶されない場合は、上記輝度に依存してフラッシュを自動点灯する処理である。
【００３１】
日付スタンプ２１ｅには、カメラ１５ｂで撮影された写真に撮影日付スタンプを合成処理するか否かの設定が記憶され、具体的には、「時刻」または「年月日」が記憶される。「時刻」が記憶された場合、撮影が行われた時刻が撮影日付スタンプとして撮影された写真に合成処理される。また、「年月日」が記憶された場合、撮影が行われた年月日が撮影日付スタンプとして撮影された写真に合成処理される。なお、撮影目的２１ｃが「名刺読取」である場合には、日付スタンプ２１ｅに記憶されたデータは意味を持たない。
【００３２】
また、日付スタンプ２１ｅには、例えば「緯度経度」が記憶されても良く、また、「場所」が記憶されても良い。「緯度経度」が記憶された場合には、ＧＰＳ（Global Positioning System）装置（図示せず）によって得られた緯度及び経度が撮影日付スタンプとして撮影された写真に合成処理される。「場所」が記憶された場合には、ＧＰＳ装置によって得られた緯度及び経度を検索キーに地図データベース（図示せず）を検索することによって得られた市区町村名が撮影日付スタンプとして撮影された写真に合成処理される。
【００３３】
連写２１ｆには、カメラ１５ｂによって所定の時間間隔で連続して写真を撮影する処理（連写）を行うか否かの設定が記憶される。具体的には、それらの写真の数コマを、連写を行わない場合の画像データの大きさに合成して、画像データ記憶部２２の画像データファイル２２ａに格納するかが設定される。例えば、「１コマ」、「４コマ」などが記憶される。連写２１ｆにデータが記憶されていない場合には、連写が行われない。
【００３４】
合成２１ｇには、受信された画像信号に他の画像データを重ね合わせる処理を行うか否かの設定が記憶される。具体的には、その重ね合わせる画像データのファイル名が記憶される。この重ね合わせる画像データは、画像データ記憶部２２に記憶される。例えば、受信された画像信号に重ね合わさせる「額」の画像データが記憶された画像データファイル２２ａの名前である「フレーム１」が記憶される。
【００３５】
色調整２１ｈには、受信された画像信号の色調を変更する処理を行うか否かの設定が記憶される。例えば、「セピア」が記憶されると、受信された画像信号の色調をセピア色に変更処理される。
【００３６】
なお、撮影目的２１ｃが「名刺読取」である場合には、連写２１ｆ、合成２１ｇ、そして色調整２１ｈに記憶されたデータは意味を持たない。
【００３７】
メール宛先２１ｉには、受信された画像信号を添付ファイルとした電子メールを送信する処理を行うか否かの設定が記憶される。具体的には、上記電子メールの宛先アドレスを識別するためのデータが記憶される。メール宛先２１ｉと同じ値が写真送信グループ番号２３ｅに記憶されたデータを、アドレス帳記憶部２３のアドレス帳ファイル２３ａから検索することによって、電子メールを送信する宛先アドレスが得られる（詳細は、後述する。）。撮影目的２１ｃが「名刺読取」である場合には、メール宛先２１ｉに記憶された電子メールの宛先アドレスを識別するためのデータは意味を持たない。
【００３８】
なお、メール宛先２１ｉにファイルの識別子データが記憶されていても良い。その場合、メール宛先２１ｉに記憶されているデータがファイルの識別子データである旨のデータが併せて記憶される。そして、上記識別子データで識別されるファイルに、受信された画像信号が格納処理される。
【００３９】
方向２１ｊは、撮影目的２１ｃが「名刺読取」である場合に意味を持ち、「縦」か「横」のデータが記憶される。「縦」とは、受信された画像信号に含まれる名刺データが縦書きであるとして名刺読取を行う処理であり、「横」とは、受信された画像信号に含まれる名刺データが横書きであるとして名刺読取を行う処理である。
【００４０】
このように構成された撮影条件データファイル２１ａに記憶されるデータは、移動通信端末装置に組み込まれていても良く、また、利用者が入力装置１６を用いて設定した内容に従って制御部１１が格納しても良い。また、移動通信端末装置に組み込まれているデータを利用者が入力装置１６を用いて設定した内容に従って制御部１１が変更しても良い。
【００４１】
ここで、メール宛先２１ｉの設定に基づいて検索されるアドレス帳記憶部２３のアドレス帳ファイル２３ａの説明をする。図５は、このアドレス帳ファイル２３ａの一例を示す。即ち、アドレス帳ファイル２３ａは、氏名２３ｂと、電話番号２３ｃと、メールアドレス２３ｄと、写真送信グループ番号２３ｅとのデータの組からなる。なお、アドレス帳ファイル２３ａには、この他のデータが含まれていても良い。
【００４２】
再び、図３のフローチャートで示した画像処理制御部１５ｄの動作の説明に戻る。ステップ１５ｏのキーに対応する撮影条件検索の後、その検索により得られた撮影目的２１ｃによって動作が分岐する（ステップ１５ｐ）。即ち、検索された撮影目的２１ｃが「写真撮影」である場合（ステップ１５ｐの「写真撮影」）、画像処理制御部１５ｄは、ステップ１５ｏで検索された撮影条件データファイル２１ａのフラッシュ２１ｄを引数にして、画像編集部１５ｇを起動する（ステップ１５ｑ）。
【００４３】
画像編集部１５ｇは、フラッシュ２１ｄに従ってカメラ撮影用のフラッシュを「点灯」又は「消灯」又は「自動」でカメラ撮影する。例えば、フラッシュを「点灯」した場合、そのフラッシュが発光の際にカメラ１５ｂによって撮影され画像入力部１５ｅから出力された画像信号を受信する。そして、画像編集部１５ｇはその受信した画像信号に対して、撮影条件データファイル２１ａの日付スタンプ２１ｅと、連写２１ｆと、合成２１ｇと、色調整２１ｈとに従った画像編集処理を行い、その編集した画像データを画像データ記憶部２２の画像データファイル２２ａに格納する。
【００４４】
上記に説明した通り、複数のキー２１ｂがシャッターキーであり、それらのキー２１ｂのいずれかのキーの１回の操作によって、所望の撮影条件に従った写真を撮影し、撮影された写真に所望の画像処理を行うことができる。
【００４５】
なお、撮影条件データファイル２１ａのメール宛先２１ｉにファイル名が記憶されている場合、画像編集部１５ｇは、上記編集した画像データに上記ファイル名をつけて画像データ記憶部２２の画像データファイル２２ａに格納する。
【００４６】
ここで、撮影条件データファイル２１ａの日付スタンプ２１ｅに「時刻」または「年月日」が指定されている場合には、画像編集部１５ｇは、クロック（図示せず）からそれぞれ時刻または年月日を読み込んで合成処理に用いる。
【００４７】
また、撮影条件データファイル２１ａのメール宛先２１ｉに値が記憶されている場合には、画像編集部１５ｇは、上記編集した画像データを画像データファイル２２ａに格納した後、メール宛先２１ｉの写真送信グループ番号からアドレス帳ファイル２３ａの写真送信グループ番号２３ｅを検索する。そして、得られた写真送信グループ番号２３ｅに対応するメールアドレス２３ｄと、上記編集した画像データ（添付ファイルで送信）とを引数として、電子メール送信部２４を起動することによって、電子メール送信処理を行う。
【００４８】
ここで、画像編集部１５ｇは、電子メール本文の入力を利用者に促す内容を出力装置１５ａに表示し、利用者が入力装置１６を用いて入力した内容に従ってメール本文を作成し、そのメール本文とメールアドレスを引数として、電子メール送信部２４を起動しても良い。
【００４９】
なお、画像データファイル２２ａや上記電子メールに添付される画像データは、圧縮された画像データであっても良く、圧縮の形式は、ＪＰＥＧ（Joint Photographic Expert Group）形式や、ＧＩＦ（Graphical Interchange Format）形式を用いても良いし、その他の形式を用いても良い。
【００５０】
ここで、上記編集した画像データが大きく、電子メールの添付ファイルとして添付できるファイルの大きさの制限を越えることがある。その場合、画像編集部１５ｇは、上記編集した画像データを複数の画像ファイルに分割して、分割されたそれぞれの画像ファイルを添付ファイルとして引数に指定して、複数の電子メールの送信を電子メール送信部２４に指示する。
【００５１】
または、上記編集した画像データを高い圧縮率で圧縮して上記大きさの制限以内の大きさにした上で、高い圧縮率で圧縮された画像データを添付ファイルとして電子メールの送信を電子メール送信部２４に指示しても良い。
【００５２】
またステップ１５ｐで、検索された撮影目的２１ｃが「名刺読取」である場合（ステップ１５ｐの「名刺読取」）、画像処理制御部１５ｄは、ステップ１５ｏで検索された撮影条件データファイル２１ａのフラッシュ２１ｄと、メール宛先２１ｉと、方向２１ｊとを引数にして、文字認識部１５ｈを起動する（ステップ１５ｒ）。
【００５３】
文字認識部１５ｈは、フラッシュ２１ｄに従ってカメラ撮影用のフラッシュを「点灯」又は「消灯」又は「自動」で名刺をカメラ撮影する。例えば、フラッシュを「点灯」した場合、文字認識部１５ｈはそのフラッシュが発光の際にカメラ１５ｂによって撮影され画像入力部１５ｅから出力された画像信号を受信し、その受信した画像信号を２値化する。
【００５４】
撮影条件データファイル２１ａのメール宛先２１ｉにファイル名が記憶されている場合、文字認識部１５ｈは、上記受信した画像信号を上記ファイル名をつけて画像データ記憶部２２の画像データファイル２２ａに格納する。
【００５５】
次に、撮影条件データファイル２１ａの方向２１ｊが「縦」であれば、文字認識部１５ｈは、２値化した画像信号から名刺データを切り出して、その名刺データを縦長方向に回転し、そのデータの中央部に縦方向に続く領域のデータを氏名として文字認識する。
【００５６】
そして、文字認識部１５ｈは、例えば、上記名刺データの左下部に縦方向に続く複数の領域のデータを文字認識し、その認識結果の中で「電話」または「Ｔｅｌ」で始まる文字列から電話番号を抽出し、更に、その認識結果の中で「電子メール」または「Ｅ−ｍａｉｌ」で始まる文字列から電子メールアドレスを抽出する。
【００５７】
一方、撮影条件データファイル２１ａの方向２１ｊが「横」であれば、文字認識部１５ｈは、２値化した画像信号から名刺データを切り出して、その名刺データを横長方向に回転し、そのデータの中央部に横方向に続く領域のデータを氏名として文字認識する。
【００５８】
そして、文字認識部１５ｈは、例えば、上記名刺データの下部に横方向に続く複数の領域のデータを文字認識し、その認識結果の中で「電話」または「Ｔｅｌ」で始まる文字列から電話番号を抽出し、更に、その認識結果の中で「電子メール」または「Ｅ−ｍａｉｌ」で始まる文字列から電子メールアドレスを抽出する。
【００５９】
続いて、文字認識部１５ｈは、認識した氏名を氏名２３ｂとし、抽出した電話番号を電話番号２３ｃとし、抽出した電子メールアドレスをメールアドレス２３ｄとし、写真送信グループ番号２３ｅは値を持たないデータとし、それらの１セットをアドレス帳記憶部２３のアドレス帳ファイル２３ａに格納する。
【００６０】
上記に説明した通り、複数のキー２１ｂがアドレス帳ファイル２３ａへの登録を指示するキーであり、それらのキー２１ｂのいずれかのキーの１回の操作によって、名刺の形式に従った文字認識動作を行い、得られた氏名などを登録することができる。
【００６１】
写真送信グループ番号２３ｅに記憶される値は、入力装置１６から設定した内容に従って、制御部１１が格納する。また、氏名２３ｂに記憶される値や、電話番号２３ｃに記憶される値や、メールアドレス２３ｄに記憶される値も、入力装置１６から設定した内容に従って、制御部１１が格納しても良い。
【００６２】
画像処理制御部１５ｄは、制御部１１からの指示に基づいて、任意のステップで画像処理部１５ｃの各部の動作を終了させ、そして、自身の動作を終了させる。
【００６３】
なお、利用者が撮影条件データファイル２１ａの内容を確認することが出来るようにしても良い。即ち、所望の条件を満たす画像信号の受信と、その画像信号に対して行う所望の画像処理を指定する際に、いずれかのキーを操作するかを確認することが出来るようにしても良い。
【００６４】
例えば、ステップ１５ｎで利用者が所定のヘルプキーを操作したと判断された場合、画像処理制御部１５ｄは、撮影条件データファイル２１ａの内容を所定時間だけ出力装置１５ａに表示しても良い。または、所定のヘルプキーが操作されている間にのみ、撮影条件データファイル２１ａの内容を出力装置１５ａに表示しても良い。
【００６５】
図６は、図４に示す撮影条件データファイル２１ａの内容が出力装置１５ａに表示されたヘルプ画面１５０の一例を示す。図４に示す撮影条件データファイル２１ａには、キー２１ｂに「１」〜「９」及び「０」の１０個の数字キーの識別子が記憶されている。そこで、図６に示すヘルプ画面１５０は、それぞれの数字キーに対応する画像信号の条件と画像処理をアイコンで表して、出力装置１５ａに表示するようにしたものである。
【００６６】
ここで、「１」〜「９」及び「０」の１０個の数字キーは、入力装置１６に、周知の配置の通りに配置されている。そこで、それぞれの数字キーに対応する画像処理を示すアイコンは、上記周知の配置の通りに出力装置１５ａに配置されて、表示されている。
【００６７】
即ち、アイコン１５１は、キー２１ｂが数字キー「１」に対応する画像処理であって、電球の点灯イメージによって、撮影目的２１ｃが「写真撮影」であり、フラッシュ２１ｄが「点灯」であることを示す。また、アイコン１５２は、キー２１ｂが数字キー「２」に対応する画像処理であって、撮影目的２１ｃが「写真撮影」であり、電球の点灯イメージに斜線を加えることによって消灯イメージを表し、フラッシュ２１ｄが「消灯」であることを示す。
【００６８】
アイコン１５３は、キー２１ｂが数字キー「３」に対応する画像処理であって、「時刻」の文字によって、撮影目的２１ｃが「写真撮影」であり、日付スタンプ２１ｅが「時刻」であることを示す。また、アイコン１５４は、キー２１ｂが数字キー「４」に対応する画像処理であって、「年月日」の文字によって、撮影目的２１ｃが「写真撮影」であり、日付スタンプ２１ｅが「年月日」であることを示す。
【００６９】
アイコン１５５は、キー２１ｂが数字キー「５」に対応する画像処理であって、４つの長方形によって、撮影目的２１ｃが「写真撮影」であり、連写２１ｆが「４コマ」であることを示す。
【００７０】
アイコン１５６は、キー２１ｂが数字キー「６」に対応する画像処理であって、長方形の外側に連続配置された半円状によって、撮影目的２１ｃが「写真撮影」であり、合成２１ｇが、連続配置された半円形状からなる額の画像データが記憶された画像データファイル２２ａである「フレーム１」であることを示す。
【００７１】
アイコン１５７は、キー２１ｂが数字キー「７」に対応する画像処理であって、セピア色によって、撮影目的２１ｃが「写真撮影」であり、色調整２１ｈが「セピア」であることを示す。
【００７２】
アイコン１５８は、キー２１ｂが数字キー「８」に対応する画像処理であって、封筒のイメージと「１」の文字によって、撮影目的２１ｃが「写真撮影」であり、メール宛先２１ｉが「１」であり、即ち、図５に示すアドレス帳ファイル２３ａの写真送信グループ番号２３ｅに「１」が記憶されたデータが検索され、検索されたメールアドレス２３ｄにあてて画像データが送信されることを示す。
【００７３】
アイコン１５９は、キー２１ｂが数字キー「９」に対応する画像処理であって、縦書きの「名刺」の文字により、撮影目的２１ｃが「名刺読取」であり、方向２１ｊが「縦」であることを示す。また、アイコン１６０は、キー２１ｂが数字キー「０」に対応する画像処理であって、横書きの「名刺」の文字により、撮影目的２１ｃが「名刺読取」であり、方向２１ｊが「横」であることを示す。
【００７４】
また、画像処理制御部１５ｄは、ステップ１５ｏで撮影条件の検索を行った後、所定のシャッターキーの識別子を制御部１１から受信して、上記シャッターキーの操作が有ったと判断された場合、ステップ１５ｐ以降の動作を行っても良い。または、ステップ１５ｏの動作の後、ステップ１５ｎで制御部１１から受信したキーの識別子を、再度制御部１１から受信した場合、ステップ１５ｐ以降の動作を行っても良い。
【００７５】
次に、制御部１１の画像処理に関する制御動作を説明する。図７は、この制御部１１による画像処理に関する制御動作を示すフローチャートである。
【００７６】
制御部１１の画像処理の制御は、入力装置１６の所定のキーが操作され、画像処理の開始が指示されることにより開始し（ステップ１１ａ）、直ちに画像処理制御部１５ｄを起動することによって、画像処理部１５ｃを動作させる（ステップ１１ｂ）。
【００７７】
続いて、制御部１１は、利用者の入力操作に応じて入力装置１６からキーを識別するコードを受け（ステップ１１ｃ）、そのキーが画像処理終了を指示する所定のキーであるかを判断する（ステップ１１ｄ）。上記キーが画像処理の終了を指示するキーでなければ（ステップ１１ｄの「画像処理終了キー以外」）、そのキーの識別子を画像処理制御部１５ｄに通知する（ステップ１１ｅ）。
【００７８】
上記キーが画像処理の終了を指示するキーであれば（ステップ１１ｄの「画像処理終了キー」）、制御部１１は、画像処理制御部１５ｄに画像処理部１５ｃの動作を終了させ（ステップ１１ｆ）、更に、画像処理に関する制御動作を終了する（ステップ１１ｇ）。
【００７９】
本実施形態においては、撮影目的２１ｃとしては、「写真撮影」及び「名刺読取」があるとしたが、これに限るものではない。例えば、撮影目的２１ｃとして「ビデオ撮影」があっても良い。その場合には、画像編集部１５ｇが所定の時間連続する画像信号の編集を行う。また、撮影目的２１ｃとして「バーコード読取」があっても良い。その場合には、文字認識部１５ｈに代えて、バーコード読取部が備えられる。ここで、バーコードは、２次元バーコードであっても良い。
【００８０】
また、以上の説明は、本発明を移動通信端末装置に適用した形態を例にとって行ったが、本発明は、ＰＤＡ（Personal Digital Assistant）や、パソコンなどに適用することも当然に可能である。本発明は以上の構成に限定されるものではなく、種々の変形が可能である。
【図面の簡単な説明】
【００８１】
【図１】本発明の実施形態に係る移動通信端末装置を示すブロック図。
【図２】本発明の実施形態に係る画像処理部を示すブロック図。
【図３】本発明の実施形態に係る画像処理制御部のフローチャート。
【図４】本発明の実施形態に係る撮影条件データファイルの一例を示す図。
【図５】本発明の実施形態に係るアドレス帳ファイルの一例を示す図。
【図６】本発明の実施形態に係るキーと撮影条件の対応を示すヘルプ画面の一例。
【図７】本発明の実施形態に係る制御部の画像処理の制御動作のフローチャート。
【符号の説明】
【００８２】
１１  制御部
１５ａ  出力装置
１５ｂ  カメラ
１５ｃ  画像処理部
１５ｄ  画像処理制御部
１５ｅ  画像入力部
１５ｆ  画像出力部
１５ｇ  画像編集部
１５ｈ  文字認識部
１６  入力装置
２１  撮影条件データ記憶部
２１ａ  撮影条件データファイル
２１ｂ  キー
２１ｃ  撮影目的
２１ｄ  フラッシュ
２１ｅ  日付スタンプ
２１ｆ  連写
２１ｇ  合成
２１ｈ  色調整
２１ｉ  メール宛先
２１ｊ  方向
２２  画像データ記憶部
２２ｂ  画像データファイル
２３  アドレス帳記憶部
２３ａ  アドレス帳ファイル
２３ｂ  氏名
２３ｃ  電話番号
２３ｄ  メールアドレス
２３ｅ  写真送信グループ番号
２４  電子メール送信部
【図１】
2005210246.tif 000003
【図２】
2005210246.tif 000004
【図３】
2005210246.tif 000005
【図４】
2005210246.tif 000006
【図５】
2005210246.tif 000007
【図６】
2005210246.tif 000008
【図７】
2005210246.tif 000009